(57)【要約】      （修正有）【課題】被写体の構図の決定並びに水平方向，垂直方向の位置の確認を，的確に，迅速に，簡単に，かつ快適にできる。【解決手段】（１）液晶モニターの外枠の外周部の外側部分の左右及び上下の同一位置に，同一線分（外付け格子線）を設ける。（２）左右及び上下の線分（外付け格子線）を印刷あるいは刻みこんだ，透明な樹脂製からなるシール式フレームを液晶モニターの外枠に，予め貼りつけておく。（３）このフレームには，液晶モニター上の樹脂板において，左右，上下の線分（外付け格子線）を内部方向に延長したとした場合，交わるであろう交差点に，「＋」印や「・」印の交差点表示印を予め印刷あるいは刻みこんでおく。（４）撮影に際して，予め液晶モニターに貼りつけたフレームを使用し，被写体の構図を行うとともに，水平方向，垂直方向の位置の確認を行う。【選択図】図１
0003105184.tif 000002
【実用新案登録請求の範囲】
【請求項１】
液晶モニター付き光学機器の，四角形の液晶モニターの外周部に貼りつけ可能な，透明な樹脂板からなる，四辺形のシール式フレームであることを特徴とする。
【請求項２】
前記のシール式フレームの内枠は，液晶モニターの外枠より同等以上の大きさを有し，四辺形の内枠の四辺から外側方向に向かい，各辺に２つずつ設けられている線分（外付け格子線）であることを特徴とする。
【請求項３】
前記のシール式フレームは，四辺形の中心線に対して，左右対称，上下対称に設けた線分（外付け格子線）を，印刷あるいは刻み込まれていることを特徴とする。
【請求項４】
前記のシール式フレームは，液晶モニター上の樹脂板において，左右，上下の線分（外付け格子線）を内部方向に延長したとした場合，交わるであろう交差点に，「＋」印や「・」印を予め印刷あるいは刻みこむことにより，線分（外付け格子線）と一体となって，液晶モニターの格子線の役割を担うことを特徴とする。
【考案の詳細な説明】
【技術分野】
【０００１】  この考案は，液晶モニター付き光学機器（デジタルカメラ，デジタルビデオカメラ，カメラ機能付携帯電話）を対象に，液晶モニターのモニター面の保護並びに構図決定及び水平・垂直方向位置確認を目的とした，左右，上下対称の２対の線分（外付け格子線）と交差点表示印を設け，液晶モニターの外枠部分に貼りつける，透明な樹脂板からなるシール式フレームに関するものである。
【背景技術】
【０００２】  従来，液晶モニター付き光学機器を対象に，液晶モニター面の保護や構図決定及び水平・垂直方向位置確認を目的として線分（外付け格子線）を設けたシール式フレームはなかった。
液晶モニター上に格子線や方眼スクリーンを設ける方法はあった。
【考案が解決しようとする課題】
【０００３】  これは，次のような問題点があった。
（１）液晶モニター付き光学機器の液晶モニター面は，ガラス製で，汚れや傷がつきやすい。
（２）液晶モニター付き光学機器の利用者は，撮影に際して，液晶モニター上の画面を見ながら，経験と勘により，構図の決定並びに水平及び垂直方向の位置の確認を行うが，モニターの画面が広いため，構図の決定及び水平，垂直方向の位置確認に時間がかかり，折角のシャッターチャンスを逃すことが多い。
（３）撮影後の映像をみてみると，水平又は垂直方向の位置が曲がっていることが多い。
本考案は，以上のような欠点をなくすためになされたものである。
【課題を解決するための手段】
【０００４】  液晶モニター付き光学機器の液晶モニター面を保護すること，並びに撮影者が，撮影に際し，被写体の構図の決定並びに水平及び垂直方向の位置の確認を容易にできるようにすることを目的とした，透明な樹脂製からなり液晶モニターの外周部に貼りつけることが可能な，次のようなシール式フレームを用意する。
（１）このフレームの内枠は，液晶モニターの外枠より同等以上の大きさを有し，四辺形の内枠の四辺から外側方向に向かい，各辺に２つずつ線分（外付け格子線）を設ける。
（２）このフレームには，四辺形の中心線に対して，左右対称，上下対称に，線分（外付け格子線）を，印刷あるいは刻みこむことにより設ける。
（３）このフレームには，液晶モニター上の樹脂板において，左右，上下の線分（外付け格子線）を，内部方向に延長したとした場合，交わるであろう交差点に，「＋」印や「・」印を予め印刷あるいは刻み込むことにより，線分（外付け格子線）と一体となって，液晶モニターの格子線の役割を担わせる。
本考案は，以上の構成よりなる，線分（外付け格子線）を設けたシール式フレームである。
【考案を実施するための最良の形態】
【０００５】  以下，考案を実施するための最良の形態について説明する。
（１）液晶モニター付き光学機器の利用者は，液晶モニター面を保護するため，液晶モニターにシール式フレームを用意する。
（２）このシール式フレームは，液晶モニター付き光学機器の利用者が，撮影に際して，被写体の構図の決定並びに水平及び垂直方向の位置の確認を容易にできるようにするために，四辺形のフレームの内周部から外側方向に向かう左右，上下対称の２対の線分（外付け格子線）及び「＋」印や「・」印の交差点表示印を印刷又は刻みこんだ，透明な樹脂製のシール式フレームからなっている。
（３）液晶モニター付き光学機器の利用者は，上記のシール式フレームを液晶モニター付き光学機器の液晶モニターの外周部に予め貼りつけ，必要に応じて使用する。
（４）本考案は，以上のような構造であり，線分（外付け格子線）を設けたシール式フレーム付きの光学機器の利用者は，撮影に際して，予め液晶モニターの外周部に貼りつけたフレームを使用し，被写体の構図の決定のために左右，上下の線分（外付け格子線）及び液晶モニター上の「＋」印や「・」印の交差点表示印を利用するとともに，例えば，海等の水平線を確保したいと思えば，フレームの左右の同一位置に設けてある線分（外付け格子線）に被写体の水平線を合わせればよく，また，柱等の垂直線を確保したいと思えば，フレームの上下の同一位置に設けてある線分（外付け格子線）に被写体の垂直線を合わせるようにすればよい。
これらの行動は，フレームの左右，上下対称の位置に線分（外付け格子線）が設けられていることにより，特別に操作しなくても，無意識のうちに，構図の決定並びに水平線，垂直線の確保が，的確に，迅速に，容易に，かつ快適に行われるものと思われる。
【考案の効果】
【０００６】（１）液晶モニター付き光学機器を使用する人の立場からすると，撮影する際に，被写体の構図の決定並びに水平，垂直方向の位置の確認が，的確に，迅速に，容易に，かつ快適に行え，シャッターチャンスを逃さない。
（２）このような被写体の構図の決定並びに水平，垂直方向の位置確認のための線分（外付け格子線）を設けたシール式フレームの製造は，特別の設計，大規模製造機械の導入等を必要としないため，利用者は安価で購入できる。
（３）液晶モニター付き光学機器を製造，販売する側の立場からすると，線分（外付け格子線）を設けたシール式フレームの製造にあたって，特別の設計，大規模製造機械の導入等を必要としないため，消費者に安価で提供できる。
（４）既に発売されている液晶モニター内にグリッド表示機能を持つ光学機器についても，線分（外付け格子線）及び交差点表示印を設けることにより，液晶モニター内のグリッド表示は不要と思われる。
（５）線分（外付け格子線）の数は，理想とされる黄金分割の考えに基づき，液晶モニターの縦横を３分割する２本，あるいは，縦横を４分割する３本が考えられる。
（６）液晶モニター付き光学機器の液晶モニターのサイズは，１．５インチ位から３．５インチ位までと，さまざまであり，このため，それぞれのサイズに合わせたシール式フレームを用意する必要がある。
【図面の簡単な説明】
【０００７】
【図１】  本考案のシール式フレームの正面図である。
【図２】  本考案のシール式フレームの背面図である。
【符号の説明】
【０００８】      １  液晶モニターの枠
２  構図の決定並びに水平方向位置確認のための線分（外付け格子線）
３  構図の決定並びに垂直方向位置確認のための線分（外付け格子線）
４  交差点表示印
５  のりしろ（両面テープ）
【図１】
0003105184.tif 000003
【図２】
0003105184.tif 000004
【手続補正書】
【提出日】平成16年6月3日(2004.6.3)
【手続補正１】
【補正対象書類名】実用新案登録請求の範囲
【補正対象項目名】全文
【補正方法】変更
【補正の内容】
【実用新案登録請求の範囲】
【請求項１】
液晶モニタ−付き光学機器の，四角形の液晶モニタ−の外周部に貼りつけ可能な，透明な樹脂板からなる，四辺形のシ−ル式フレ−ムであることを特徴とする液晶モニタ−付き光学機器用のシ−ル式フレ−ムである。
【請求項２】
請求項１記載のシ−ル式フレ−ムにおいて，シ−ル式フレ−ムは，液晶モニタ−の外枠より同等以上の大きさを有し，四辺形の内枠の四辺から外側方向に向かい，各辺に２つずつ設けられている線分（外付け格子線）であることを特徴とする請求項１記載の液晶モニタ−付き光学機器用のシ−ル式フレ−ムである。
【請求項３】
請求項１記載のシ−ル式フレ−ムにおいて，シ−ル式フレ−ムは，四辺形の中心線に対して，左右対称，上下対称に設けた線分（外付け格子線）を，印刷あるいは刻み込まれていることを特徴とする請求項１記載の液晶モニタ−付き光学機器用のシ−ル式フレ−ムである。
【請求項４】
請求項１記載のシ−ル式フレ−ムにおいて，シ−ル式フレ−ムは，液晶モニタ−上の樹脂板において，左右，上下の線分（外付け格子線）を内部方向に延長したとした場合，交わるであろう交差点に，「＋」印や「・」印を予め印刷あるいは刻みこむことにより，線分（外付け格子線）と一体となって，液晶モニタ−の格子線の役割を担うことを特徴とする請求項１記載の液晶モニタ−付き光学機器用のシ−ル式フレ−ムである。